(57)【要約】【課題】画像投影を容易に行うことができる電子機器を提供する。【解決手段】四角形の画像を投影するプロジェクタ投影窓１２を備えるカメラ１において、カメラ１の筐体１０に取り付け可能なストラップ２０を備えている。ストラップ２０の中間部を吊り下げ用ピン１００に吊り下げ、プロジェクタ投影窓１２から投影された画像が水平になるようにした。【選択図】図１
2010169757.tif 000002
【特許請求の範囲】
【請求項１】
四角形の画像を投影するプロジェクタ投影部を備える電子機器において、
前記電子機器の筐体に取り付けられ、前記プロジェクタ投影部から投影された前記画像の左右方向が水平になるように前記筐体を吊り下げるためのひも状部材を備えていることを特徴とする電子機器。
【請求項２】
前記筐体を吊り下げたとき、前記プロジェクタ投影部の射出光軸は、前記ひも状部材に囲まれた平面を含む仮想面にほぼ平行であることを特徴とする請求項１記載の電子機器。
【請求項３】
前記筐体に設けられ、前記ひも状部材の一端が取り付けられる取付部を備え、前記取付部は、前記筐体を吊り下げたとき、四角形の前記プロジェクタ投影部の一辺とほぼ直交するとともに、前記筐体の重心を通る垂直線上にあることを特徴とする請求項１記載の電子機器。
【請求項４】
前記筐体の左右の角部にそれぞれ設けられた取付部に前記ひも状部材の両端を取り付けて前記筐体を吊り下げたとき、前記ひも状部材の前記筐体を吊下げるための吊下部が前記筐体の重心を通る垂直線上にあることを特徴とする請求項１記載の電子機器。
【請求項５】
前記ひも状部材の一端が前記取付部に取り付け可能であることを特徴とする請求項１〜４のいずれか１項記載の電子機器。
【請求項６】
前記取付部は前記筐体内に収納可能であることを特徴とする請求項１〜５のいずれか１項記載の電子機器。
【請求項７】
前記ひも状部材に前記取付部から前記吊下部までの長さを調整する長さ調整部材を設けることを特徴とする請求項１〜６のいずれか１項記載の電子機器。
【請求項８】
前記吊下部に吊下用孔を設けたことを特徴とする請求項７記載の電子機器。
【請求項９】
前記ひも状部材の一端部に前記筐体の凹部又は凸部に係合可能な凸部又は凹部を有する固定部材が設けられていることを特徴とする請求項７又は８記載の電子機器。
【発明の詳細な説明】
【技術分野】
【０００１】
この発明は電子機器に関する。
【背景技術】
【０００２】
従来、小型で携帯性がよく、多くの人が一度に画像を楽しむことが可能なプロジェクタ手段を有するカメラが知られている（下記公報参照）。
【０００３】
このカメラのプロジェクタ手段を使用するときには、カメラを例えば机や台の上に置き、壁面やスクリーンに画像を投影する。
【先行技術文献】
【特許文献】
【０００４】
【特許文献１】特開２００５−２５０３９２号公報
【発明の概要】
【発明が解決しようとする課題】
【０００５】
しかし、上記カメラでは、例えば机等がない屋外や、屋内であっても適当な高さの机等がない場合、カメラを画像投影に適した位置に置くことが難しく、画像投影を容易に行えないことがあった。
【０００６】
この発明はこのような事情に鑑みてなされたもので、その課題は画像投影を容易に行うことができる電子機器を提供することである。
【課題を解決するための手段】
【０００７】
上記課題を解決するため請求項１記載の発明は、四角形の画像を投影するプロジェクタ投影部を備える電子機器において、前記電子機器の筐体に取り付けられ、前記プロジェクタ投影部から投影された前記画像の左右方向が水平になるように前記筐体を吊り下げるためのひも状部材を備えていることを特徴とする。
【０００８】
請求項２記載の発明は、請求項１記載の電子機器において、前記筐体を吊り下げたとき、前記プロジェクタ投影部の射出光軸は、前記ひも状部材に囲まれた平面を含む仮想面にほぼ平行であることを特徴とする。
【０００９】
請求項３記載の発明は、請求項１記載の電子機器において、前記筐体に設けられ、前記ひも状部材の一端が取り付けられる取付部を備え、前記取付部は、前記筐体を吊り下げたとき、四角形の前記プロジェクタ投影部の一辺とほぼ直交するとともに、前記筐体の重心を通る垂直線上にあることを特徴とする。
【００１０】
請求項４記載の発明は、請求項１記載の電子機器において、前記筐体の左右の角部にそれぞれ設けられた取付部に前記ひも状部材の両端を取り付けて前記筐体を吊り下げたとき、前記ひも状部材の前記筐体を吊下げるための吊下部が前記筐体の重心を通る垂直線上にあることを特徴とする。
【００１１】
請求項５記載の発明は、請求項１〜４のいずれか１項記載の電子機器において、前記ひも状部材の一端が前記取付部に取り付け可能であることを特徴とする。
【００１２】
請求項６記載の発明は、請求項１〜５のいずれか１項記載の電子機器において、前記取付部は前記筐体内に収納可能であることを特徴とする。
【００１３】
請求項７記載の発明は、請求項１〜６のいずれか１項記載の電子機器において、前記ひも状部材に前記取付部から前記吊下部までの長さを調整する長さ調整部材を設けることを特徴とする。
【００１４】
請求項８記載の発明は、請求項７記載の電子機器において、前記吊下部に吊下用孔を設けたことを特徴とする。
【００１５】
請求項９記載の発明は、請求項７又は８記載の電子機器において、前記ひも状部材の一端部に前記筐体の凹部又は凸部に係合可能な凸部又は凹部を有する固定部材が設けられていることを特徴とする。
【発明の効果】
【００１６】
この発明によれば、画像投影を容易に行うことができる。
【図面の簡単な説明】
【００１７】
【図１】図１はこの発明の第１実施形態に係るカメラの正面図である。
【図２】図２はこの発明の第２実施形態に係るカメラの正面図である。
【図３】図３は図２の部分拡大図である。
【図４】図４はこの発明の第３実施形態に係るカメラの正面図である。
【図５】図５はこの発明の第４実施形態に係るカメラの正面図である。
【図６】図６はこの発明の第５実施形態に係るカメラの正面図である。
【図７】図７はこの発明の第６実施形態に係るカメラを縦吊りした状態を示す正面図である。
【図８】図８はカメラを横吊りした状態を示す正面図である。
【図９】図９はこの発明の第７実施形態に係るカメラを斜め後方から見た斜視図である。
【図１０】図１０はプロジェクタモードで使用している図９のカメラの背面図である。
【図１１】図１１はプロジェクタモードで使用している図９のカメラの背面図である。
【発明を実施するための形態】
【００１８】
以下、この発明の実施の形態を図面に基づいて説明する。
【００１９】
図１はこの発明の第１実施形態に係るカメラの正面図である。
【００２０】
カメラ（電子機器）１の筐体１０の正面には、被写体を撮影するための撮影窓１１、四角形の画像を投影するプロジェクタ投影窓１２、フラッシュ光が射出されるフラッシュ窓１３、外部からカメラ１を遠隔操作するためのリモコン信号を受信するリモコン窓１４、電源スイッチ１５が設けられている。電源スイッチ１５はカメラ撮影を行う撮影モード（Ｃ）とプロジェクタ投影を行うプロジェクタモード（Ｐ）とを切り替えるモード切替スイッチとして機能する。
【００２１】
また、筐体１０の上面には、レリーズ動作を指示するシャッタボタン１６が設けられている。
【００２２】
更に、筐体１０の両側面（左右の角部）にはストラップ（ひも状部材）２０を取り付けるためのストラップ取付部（取付部）３０，３５がそれぞれ筐体１０と一体に形成されている。
【００２３】
ストラップ２０はひも部２１と、ひも部２１の両端部に固定部材２２を介して取り付けられた吊り環２３と、筐体１０を吊下げるための吊下げ部２５とを備えている。ひも部２１の断面形状は矩形である。
【００２４】
ひも部２１の中間部に設けられた吊下部２５を壁（図示せず）に設けられた吊下用ピン１００に引っ掛けたとき、吊下部２５が筐体１０の重心（図示せず）を通る垂直線上に位置する。
【００２５】
左右の取付部３０，３５からプロジェクタ投影窓１２までの距離はほぼ等しいるため、吊下部２５からストラップ取付部３０までの距離と吊下部２５からストラップ取付部３５までの距離が等しくなるようにストラップ２０の吊下部２５を吊り下げ用ピン１００に引っ掛ければ、筐体１０がほぼ水平となる（図１参照）。なお、屋外のように吊下用ピン１００を刺す壁がない場合には、ストラップ２０を木の枝に引っ掛けたり、筐体１０の背面が身体に密着するようにストラップ２０を首に掛けたりすればよい。
【００２６】
筐体１０をほぼ水平にした状態で電源スイッチ１５をプロジェクタモード側（Ｐ）側へスライドさせてプロジェクタの電源をオンにすると、プロジェクタ投影窓１２を介して画像が壁等の投影面に投影される。このとき、壁等に投影された画像は四角形であり、画像の左右は水平になる。
【００２７】
なお、画像の投影面は壁面に限られるものではなく、任意の場所や物体を投射面として利用することも可能である。また、距離センサ（図示せず）を用いて投射面までの距離を測定し、投影レンズ（図示せず）の焦点を自動的に調節できるようにすることも可能である。
【００２８】
この実施形態によれば、屋外や屋内に関係なく画像投影を容易に行うことができる。
【００２９】
図２はこの発明の第２実施形態に係るカメラの正面図、図３は図２の部分拡大図であり、第１実施形態と共通する部分には同一符号を付してその説明を省略する。
【００３０】
この実施形態はストラップ取付部（取付部）１３０を筐体１１０内に収納可能とした点で、第１実施形態と相違する。
【００３１】
ストラップ取付部１３０はＦ字形であり、その一端部が軸１３１を中心として矢印で示しように回転可能に支持されている。ストラップ取付部１３０には９０°以上回転しないように回転制限機構（図示せず）が設けられている。ストラップ取付部１３０は図３に示すように筐体１１０の収納部１１１に収納可能である。
【００３２】
ストラップ（ひも状部材）１２０はひも部１２１と、ひも部１２１の一端部に固定部材２２を介して取り付けられた松葉ひも２３とを備えている。
【００３３】
松葉ひも２３はストラップ取付部３５に取り付けられている。ストラップ１２０の他端が例えば図２に示す位置まで引き出されたストラップ取付部１３０に引っ掛けられる。
【００３４】
カメラ１０１を持ち運ぶときには、ストラップ１２０の他端をストラップ取付部１３０から外してリストストラップとして利用することができ、プロジェクタモードにして画像投影を行うときには、ストラップ１２０の他端をストラップ取付部１３０に引っ掛けてストラップ１２０を筐体１１０を吊下げるために利用することができる。
【００３５】
この実施形態によれば、第１実施形態と同様の効果を奏するとともに、ストラップ１２０をカメラ１を持ち運ぶときと画像投影を行うときとで容易に使い分けることができる。
【００３６】
図４はこの発明の第３実施形態に係るカメラの正面図であり、第２実施形態と共通する部分には同一符号を付してその説明を省略する。
【００３７】
この実施形態はストラップ（ひも状部材）２２０に長さ調整部材２４０を設けた点で第２実施形態と相違する。
【００３８】
ストラップ２２０はひも部１２１と、ひも部１２１の一端部に固定部材２２を介して取り付けられた松葉ひも２３と長さ調整部材２４０とを備えている。
【００３９】
長さ調整部材２４０はひも部１２１に摺動可能なスライド部２４１と、スライド部２４１に一体に設けられ、ピンやフック（図示せず）等に引っ掛ける孔２４２とを有する。スライド部２４１はスライドした位置に止まっている。長さ調整部材２４０が筐体１１０を吊下げるための吊下部として機能する。長さ調整部材２４０を摺動させることによって長さ調整部材２４０からストラップ取付部３５までの長さが調整される。なお、孔２４２に代えて吸盤（図示せず）を採用すればピン（図示せず）のない平坦な壁にもカメラ２０１を吊下げることができる。
【００４０】
ストラップ２２０としてネックストラップを用いた場合、長さ調整部材２４０を摺動させて長さ調整部材２４０からストラップ取付部３５までの長さを短くして長さ調整部材２４０とストラップ取付部３５との間のひも部１２１で形成される輪の大きさを調整することができるので、ストラップ２２０をリストストラップとしてカメラ２０１の持ち運びに利用することもできる。
【００４１】
この実施形態によれば、第２実施形態と同様の効果を奏するとともに、ストラップ２２０をネックストラップとしてもリストストラップとしても用いることができる。
【００４２】
図５はこの発明の第４実施形態に係るカメラの正面図であり、第２実施形態と共通する部分には同一符号を付してその説明を省略する。
【００４３】
この実施形態は筐体３１０の一端に設けた軸３１１と係合可能なフック３４０をストラップ（ひも状部材）３２０に設けた点で第２実施形態と相違する。
【００４４】
ストラップ３２０は、ひも部１２１と、ひも部１２１の一端部に固定部材２２を介して取り付けられた松葉ひも２３と、フック３４０とを備えている。
【００４５】
フック３４０はストラップ３２０に摺動可能に設けられている。
【００４６】
フック３４０を軸３１１に引っ掛け、ストラップ３２０の中間部を図示しない壁に刺されたピン（図示せず）等に引っ掛ければプロジェクタ投影部１２から水平方向へ画像投影を行うことができる。また、フック３４０を軸３１１から外せば、ストラップ３２０をカメラ３０１を持ち運ぶときのリストストラップとして利用することができる。
【００４７】
この実施形態によれば、第２実施形態と同様の効果を奏する。
【００４８】
図６はこの発明の第５実施形態に係るカメラの正面図であり、第２実施形態と共通する部分には同一符号を付してその説明を省略する。
【００４９】
この実施形態は筐体４１０の上面に設けたストラップ取付部４３０にストラップ１２０を取り付け、筐体４１０を縦吊りとした点で第２実施形態と相違する。
【００５０】
カメラ（電子機器）４０１の筐体４１０の正面には、四角形の画像を投影するプロジェクタ投影窓１２と電源スイッチ１５とが設けられている。トラップ取付部４３０とプロジェクタ投影窓１２とは筐体４１０の左右方向のほぼ中央に位置する。
【００５１】
ストラップ取付部４３０に取り付けられたストラップ１２０を壁（図示せず）に刺されたピン１００に引っ掛けたとき、筐体４１０の自重によってピン１００とストラップ取付部４３０とプロジェクタ投影部１２とが筐体４１０の重心を通る垂直線上に位置する。プロジェクタ投影窓１２を介して画像を壁等の投影面に投影したとき、投影面に投影された画像は四角形であり、画像の左右方向が水平になる。
【００５２】
なお、筐体４１０を吊り下げたときに垂直線と矩形のプロジェクタ投影窓１２の一辺とがほぼ直交するのであれば（プロジェクタ投影窓１２の左右方向が水平であれば）、ストラップ取付部４３０を設ける位置は上面の中央に限られるものではない。したがって、ストラップ取付部４３０の位置は筐体４１０の重心位置によって変化する。
【００５３】
この実施形態によれば、第２実施形態と同様の効果を奏する。
【００５４】
図７はこの発明の第６実施形態に係るカメラを縦吊りした状態を示す正面図、図８は同カメラを横吊りした状態を示す正面図であり、第５実施形態と共通する部分には同一符号を付してその説明を省略する。
【００５５】
この実施形態はストラップ５２０に長さ調整部材５４０を設けた点で第５実施形態と相違する。
【００５６】
ストラップ５２０は、ひも部１２１と、ひも部１２１の一端部に固定部材５２２を介して取り付けられた松葉ひも２３と、長さ調整部材５４０とを備えている。
【００５７】
長さ調整部材５４０はひも部１２１に摺動可能なスライド部５４１と、スライド部５４１に一体に設けられ、ピンやフック（図示せず）等に引っ掛ける孔５４２とを有する。スライド部５４１はスライドした位置に止まっている。長さ調整部材５４０が筐体５１０を吊下げるための吊下部として機能する。長さ調整部材５４０を摺動させることによって長さ調整部材５４０からストラップ取付部４３０までの長さが調整される。
【００５８】
固定部材５２２には、筐体５１０の凹部５１１に嵌合可能なピン（凸部）５２５が設けられている。なお、固定部材５２２に凹部を設け、筐体５１０に固定部材５２２の凹部に嵌合可能な凸部を設けてもよい。ストラップ取付部４３０とプロジェクタ投影窓１２とは筐体５１０の左右方向のほぼ中央に位置する。
【００５９】
第５実施形態と同様にカメラ５０１を縦吊りにし、ストラップ取付部４３０に取り付けられたストラップ５２０の長さ調整部材５４０の孔５４２を壁（図示せず）に刺されたピン（図示せず）に引っ掛けたとき、筐体５１０の自重によって孔５４２（ピン）とストラップ取付部４３０とプロジェクタ投影部１２とが筐体５１０の重心を通る垂線上に位置する。プロジェクタ投影窓１２を介して画像を壁等の投影面に投影したとき、投影面に投影された画像は四角形であり、画像の左右方向が水平になる。ひも部１２１に対する長さ調整部材５４０の位置を変えることによってストラップ取付部４３０と孔５４２との間の長さを調整することができるので、投影面上の画像の高さ位置を調整することができる。なお、筐体５１０を吊下げるとき、孔５４２ではなく長さ調整部材５４０の下側をピンに引っ掛けるようにしてもよい。
【００６０】
例えばストラップ５２０としてネックストラップを用いた場合、ひも部１２１に対する長さ調整部材５４０の位置を変えてストラップ取付部４３０と孔５４２との間の長さを短くすることによってリストストラップとしても用いることができる。
【００６１】
図８に示すように、筐体５１０の凹部５１１にピン５２５に嵌合させた後、ストラップ取付部１３０を引き出し、ストラップ取付部１３０にストラップ５２０の一端を引っ掛ければ、カメラ５０１を横吊りにして画像投影をすることができる。
【００６２】
この実施形態によれば、第５実施形態と同様の効果を奏するとともに、ピン５２５を筐体５１０の凹部５１１に嵌合させることによって、ストラップ５２０がずれ難くなる。
【００６３】
図９はこの発明の第７実施形態に係るカメラを斜め後方から見た斜視図、図１０、１１はプロジェクタモードで使用している図９のカメラの背面図であり、第１実施形態と共通する部分には同一符号を付してその説明を省略する。
【００６４】
この実施形態はプロジェクタ投影窓１２を筐体６１０の一方の側面に配置した点で第１実施形態と相違する。
【００６５】
筐体６１０の側面に配置されたプロジェクタ投影窓１２の射出光軸Ｌはストラップ６２０に囲まれた平面を含む仮想面に平行である。
【００６６】
ストラップ６２０は、ひも部１２１と、ひも部１２１の一端部に固定部材２２を介して取り付けられた松葉ひも２３と、ひも部１２１の他端部に取り付けられたフック３４０と、ひも部１２１に摺動可能に取り付けられた長さ調整部材２４０とを備えている。
【００６７】
筐体６１０の背面には、音声を出力するスピーカ６１１、画像等を表示するディスプレイ６１３、入力手段としてのキー６１４及び音声を取得するマイク６１５が設けられている。
【００６８】
筐体６１０の上部の左右の角には軸６１６ａ，６１６ｂが設けられ、一方の軸６１６ａに松葉ひも２３が取付けられ、他方の軸６１６ｂにフック３４０が引っ掛けられる。
【００６９】
このカメラ６０１では、ひも部１２１に対する長さ調整部材２４０の位置を変えることによって射出光軸Ｌの向き（仰角）を変えて投射光Ｒが投射される高さ位置（投影面上の画像の高さ位置）を変えることができる（図１０、１１参照）。
【００７０】
この実施形態によれば、第１実施形態と同様の効果を奏するとともに、投射光Ｒの仰角の調節を容易に行うことができる。
【符号の説明】
【００７１】
１，１０１，２０１，３０１，４０１，５０１，６０１：カメラ（電子機器）、１０，１１０，３１０，４１０，５１０，６１０：筐体、１２：プロジェクタ投影窓（プロジェクタ投影部）、２０，１２０，２２０，３２０，５２０，６２０：ストラップ（ひも状部材）、２５：吊下げ部、３０，３５、１３０，４３０：ストラップ取付部（取付部）、２４０，５４０：長さ調整部材、２４２，５４２：孔、５１１：凹部、５２２：固定部材、５２５：ピン（凸部）、Ｌ：射出光軸。
【図１】
2010169757.tif 000003
【図２】
2010169757.tif 000004
【図３】
2010169757.tif 000005
【図４】
2010169757.tif 000006
【図５】
2010169757.tif 000007
【図６】
2010169757.tif 000008
【図７】
2010169757.tif 000009
【図８】
2010169757.tif 000010
【図９】
2010169757.tif 000011
【図１０】
2010169757.tif 000012
【図１１】
2010169757.tif 000013